【手続補正書】
【提出日】平成18年1月26日(2006.1.26)
【手続補正１】
【補正対象書類名】明細書
【補正対象項目名】発明の名称
【補正方法】変更
【補正の内容】
【発明の名称】温度検出方法及び記録装置
【手続補正２】
【補正対象書類名】明細書
【補正対象項目名】特許請求の範囲
【補正方法】変更
【補正の内容】
【特許請求の範囲】
【請求項１】  記録ヘッドを用いて記録を行う記録装置で用いる温度検出方法であって、
前記記録ヘッドにより記録動作を行った前回の記録時刻を不揮発性メモリに記憶する記憶工程と、
前記記録装置が記録動作を行うための電力を供給する主電源とは独立に電力を供給可能な副電源から電力供給を受けて常時計時動作を行うタイマを用いて現在の時刻を取得する時刻取得工程と、
前記現在の時刻と前記前回の記録時刻とから、前記前回の記録時刻からの経過時間を算出する算出工程と、
前記経過時間と予め定められた時間とを比較する比較工程と、
前記比較工程における比較結果に従って、前記記録装置或いは前記記録ヘッドの内、少なくともいずれかに設けられたセンサを用いて温度を測定する測定工程と、
前記測定された温度に基づいて温度の更新を行う更新工程とを有することを特徴とする温度検出方法。
【請求項２】  記録ヘッドを用いて記録を行う記録装置であって、
前記記録ヘッドにより記録動作を行った前回の記録時刻を記憶する不揮発性メモリと、
前記記録装置が記録動作を行うための電力を供給する主電源とは独立に電力を供給可能な副電源から電力供給を受けて常時計時動作を行うタイマと、
前記タイマを用いて現在の時刻を取得する時刻取得手段と、
前記時刻取得手段によって取得された現在の時刻と前記不揮発性メモリに記憶された前回の記録時刻とから、前記前回の記録時刻からの経過時間を算出する算出手段と、
前記経過時間と予め定められた時間とを比較する比較手段と、
前記比較手段による比較結果に従って、前記記録装置或いは前記記録ヘッドの内、少なくともいずれかに設けられたセンサを用いて温度を測定する測定手段と、
前記測定された温度に基づいて温度の更新を行う更新手段とを有することを特徴とする記録装置。
【請求項３】  前記温度は、記録装置の環境温度と記録ヘッドのヘッド温度との内、少なくともいずれかを含むことを特徴とする請求項２に記載の記録装置。
【請求項４】  前記時刻取得手段は、前記タイマを用いて記録装置への電源投入時刻を取得し、
前記算出手段は、前記電源投入時刻と現在の時刻から、電源投入後の経過時間を算出し、前記電源投入後の経過時間に従って、記録装置の環境温度を補正することを特徴とする請求項３に記載の記録装置。
【請求項５】  前記記録ヘッドが交換されたかどうかを判別する判別手段をさらに有し、
前記更新手段はさらに前記判別手段による判別結果に従って、前記記録ヘッドの温度補正値の更新を行うよう制御することを特徴とする請求項３に記載の記録装置。
【請求項６】  前記主電源はＡＣ電源或いはＤＣ電源であり、
前記副電源とは電池であることを特徴とする請求項２乃至５のいずれかに記載の記録装置。
【請求項７】  前記記録ヘッドはインクジェット記録ヘッドであり、
前記インクジェット記録ヘッドは、熱エネルギーを利用してインクを吐出するために、インクに与える熱エネルギーを発生するための電気熱変換体を備えていることを特徴とする請求項２乃至６のいずれかに記載の記録装置。
【請求項８】  前記記録ヘッドはヘッドの温度を測定するためセンサを有していることを特徴とする請求項２乃至７のいずれかに記載の記録装置。
【請求項９】  記録ヘッドを用いて記録を行う記録装置で用いる温度検出方法であって、
前記記録ヘッドにより記録動作を行った前回の記録時刻を不揮発性メモリに記憶する記憶工程と、
現在の絶対時刻を取得する時刻取得工程と、
前記現在の絶対時刻と前記前回の記録時刻とから、前記前回の記録時刻からの経過時間を算出する算出工程と、
前記経過時間と予め定められた時間とを比較する比較工程と、
前記比較工程における比較結果に従って、前記記録装置或いは前記記録ヘッドの内、少なくともいずれかに設けられたセンサを用いて温度を測定する測定工程と、
前記測定された温度に基づいて温度の更新を行う更新工程とを有することを特徴とする温度検出方法。
【手続補正３】
【補正対象書類名】明細書
【補正対象項目名】０００１
【補正方法】変更
【補正の内容】
【０００１】
【発明の属する技術分野】
本発明は温度検出方法及び記録装置に関し、特に、例えば、インクジェット記録ヘッドを搭載した記録装置に適用される温度検出方法、及び記録装置に関するものである。
【手続補正４】
【補正対象書類名】明細書
【補正対象項目名】００１８
【補正方法】変更
【補正の内容】
【００１８】
本発明は上述の問題点を解決するためになされたもので、より正確に環境温度を取得することを可能にし、より正確に記録ヘッドの温度検出の補正を行うことが可能な温度検出方法及び記録装置を提供することを目的とする。
【手続補正５】
【補正対象書類名】明細書
【補正対象項目名】００２０
【補正方法】変更
【補正の内容】
【００２０】
即ち、記録ヘッドを用いて記録を行う記録装置で用いる温度検出方法であって、前記記録ヘッドにより記録動作を行った前回の記録時刻を不揮発性メモリに記憶する記憶工程と、前記記録装置が記録動作を行うための電力を供給する主電源とは独立に電力を供給可能な副電源から電力供給を受けて常時計時動作を行うタイマを用いて現在の時刻を取得する時刻取得工程と、前記現在の時刻と前記前回の記録時刻とから、前記前回の記録時刻からの経過時間を算出する算出工程と、前記経過時間と予め定められた時間とを比較する比較工程と、前記比較工程における比較結果に従って、前記記録装置或いは前記記録ヘッドの内、少なくともいずれかに設けられたセンサを用いて温度を測定する測定工程と、前記測定された温度に基づいて温度の更新を行う更新工程とを有することを特徴とする温度検出方法を備える。
【手続補正６】
【補正対象書類名】明細書
【補正対象項目名】００２２
【補正方法】変更
【補正の内容】
【００２２】
即ち、記録ヘッドを用いて記録を行う記録装置であって、前記記録ヘッドにより記録動作を行った前回の記録時刻を記憶する不揮発性メモリと、前記記録装置が記録動作を行うための電力を供給する主電源とは独立に電力を供給可能な副電源から電力供給を受けて常時計時動作を行うタイマと、前記タイマを用いて現在の時刻を取得する時刻取得手段と、前記時刻取得手段によって取得された現在の時刻と前記不揮発性メモリに記憶された前回の記録時刻とから、前記前回の記録時刻からの経過時間を算出する算出手段と、前記経過時間と予め定められた時間とを比較する比較手段と、前記比較手段による比較結果に従って、前記記録装置或いは前記記録ヘッドの内、少なくともいずれかに設けられたセンサを用いて温度を測定する測定手段と、前記測定された温度に基づいて温度の更新を行う更新手段とを有することを特徴とする。
【手続補正７】
【補正対象書類名】明細書
【補正対象項目名】００２３
【補正方法】変更
【補正の内容】
【００２３】
また他の発明によれば、記録ヘッドを用いて記録を行う記録装置で用いる温度検出方法であって、前記記録ヘッドにより記録動作を行った前回の記録時刻を不揮発性メモリに記憶する記憶工程と、現在の絶対時刻を取得する時刻取得工程と、前記現在の絶対時刻と前記前回の記録時刻とから、前記前回の記録時刻からの経過時間を算出する算出工程と、前記経過時間と予め定められた時間とを比較する比較工程と、前記比較工程における比較結果に従って、前記記録装置或いは前記記録ヘッドの内、少なくともいずれかに設けられたセンサを用いて温度を測定する測定工程と、前記測定された温度に基づいて温度の更新を行う更新工程とを有することを特徴とする温度検出方法を備える。